(57)【要約】【課題】本発明は、電子ペンと組み合わせて用いる電子ペン用帳票の印刷原版において、印刷原版は、単なるドットパターンであるため目視では判別できないため、識別システム及び識別方法の提供を目的とする。【解決手段】パーソナルコンピュータは、内蔵ハードディスク等に予め記録している印刷原版用ドットパターンデータと、前記パーソナルコンピュータに接続した光学的なフラットベッドスキャナーより送られた当該印刷原版のドットパターンのビットマップデータとを照合し、識別することで上記課題を解決した。【選択図】  図５
2006301902.tif 000002
【特許請求の範囲】
【請求項１】
インクペンによる筆記手段と、光学的にドットパターンを読み取る読取手段から成る電子ペンにより筆記情報の取得可能にしたドットパターンの形成される印刷原版を識別するシステムであって、前記ドットパターンに対応する製版データを記憶する記憶手段と、前記ドットパターンに対応する印刷原版上に形成されたドットパターンを光学的に読み取るスキャナーと、前記スキャナーで読取ったドットパターンデータを記憶する記憶手段と前記製版データと前記スキャナーで読み取ったドットパターンデータとを照合する照合手段と、により印刷原版上のドットパターンを識別するようにしたことを特徴とする電子ペン用印刷原版識別システム。
【請求項２】
インクペンによる筆記手段と、光学的にドットパターンを読み取る読取手段から成る電子ペンにより筆記情報の取得可能にしたドットパターンの形成される印刷原版を識別する方法であって、前記ドットパターンに対応する製版データを記憶する記憶ステップと、前記ドットパターンに対応する印刷原版上に形成されたドットパターンを光学的に読み取るスキャナーと、前記スキャナーで読取ったドットパターンデータを記憶するステップと前記製版データと前記スキャナーで読み取ったドットパターンデータとを照合する照合ステップと、により印刷原版上のドットパターンを識別するようにしたことを特徴とする電子ペン用印刷原版識別方法。
【請求項３】
請求項２に記載の電子ペン用印刷原版識別方法において、予め定められた範囲及び位置にて部分照合をすることを特徴とする電子ペン用印刷原版識別方法。
【請求項４】
請求項２及び請求項３に記載の電子ペン用印刷原版識別方法において、予め定められた範囲及び位置にて部分照合が不成立な場合は、前記予め定められた照合範囲及び位置を予め定められた移動方法に従って移動し、それぞれの移動した位置で部分照合を行い、すべての部分照合が不成立の場合にのみ、照合が不成立と判定することを特徴とする電子ペン用印刷原版識別方法。
【発明の詳細な説明】
【技術分野】
【０００１】
本発明は、電子ペンとペアで用いる電子ペン用帳票の印刷原版の識別システム及び方法に関するものである。
【背景技術】
【０００２】
近年、有効な入力デバイスとして、「電子ペン」、「デジタルペン」などと呼ばれるペン型入力デバイスが登場しており、その代表的なものとしてスウェーデンのアノト（Ａｎｏｔｏ）社が開発した「アノトペン（Ａｎｏｔｏ  ｐｅｎ）」（以下、本明細書では「電子ペン」と称する。）が知られている。（例えば、「特許文献１」参照）
電子ペンは、所定の電子ペン用ドットパターンが印刷された専用紙（以下、「電子ペン用帳票」と称する。）と組み合わせて使用される。
電子ペンは、通常のインクタイプのペン先部に加えて、電子ペン用帳票上の電子ペン用ドットパターンを読み取るためのＣＣＤ（Ｃｈａｒｇｅ−Ｃｏｕｐｌｅｄ  ｄｅｖｉｃｅ）搭載小型カメラと、読み取った情報を端末に送信するための微弱電波無線対応の通信ユニットを搭載している。
【０００３】
利用者が、電子ペンで電子ペン用帳票上に文字などを書くと、電子ペンの移動に伴ってＣＣＤ搭載小型カメラが電子ペン用帳票上の電子ペン用ドットパターンを検出し、利用者が書き込んだ文字等のデータとして取得する。
この入力データが、電子ペンの微弱電波無線対応の通信ユニットから近くのパーソナルコンピュータや携帯電話等の端末に送信される。
この電子ペンを利用したシステムは、キーボードに代わる入力デバイスとして利用することが可能であり、パーソナルコンピュータ等の使用に抵抗がある利用者にとっては非常に使いやすいという利点がある。
また、利用者の記入事項が、従来の紙の書類としてではなく、入力データとして取得することができるので、そのまま、その後の電子的な処理を行なうことができるという利点がある。
【０００４】
【特許文献１】特表２００３-５００７７７
【発明の開示】
【発明が解決しようとする課題】
【０００５】
一般的に、電子ペン用帳票は、２色以上のオフセット印刷で印刷されている。このため、この電子ペン用帳票のオフセット印刷用印刷原版の製版工程では、少なくとも、電子ペン用帳票毎にユニークな電子ペン用ドットパターン版と文字版とを別版で製版する。
これは、電子ペンが電子ペン用帳票の上の電子ペン用ドットパターンを収集する際に、文字等が同一のカーボン含む専用インキで印刷されていると誤ったドットパターンとして取得したり、あるいは、ドットパターンをデータとして取得が不可能になるとの理由による。
また、電子ペン用ドットパターンの向きも絶対的な意味があり、アプリケーションと密接に結びついており、仮に天地逆の印刷を行なうとアプリケーションは作動しなくなる。
このような識別性を要求される電子ペン用ドットパターン版は、文字等の可読的な情報の形成は許さない。このため、肉眼では、単なる周囲断ち切りの全面網点のポジフィルムとしか認識できない。さらに、肉眼では、電子ペン用ドットパターン版の天地左右の向きを見極めること及び異なる電子ペン用帳票の電子ペン用ドットパターン版相互の区別は不可能である。
このため、電子ペン用帳票毎にユニークな電子ペン用ドットパターン版は、他の電子ペン用帳票の電子ペン用ドットパターン版と間違えて、刷版工程に下版されてしまうことがある。
【０００６】
そこで、電子ペン用帳票の印刷原版である電子ペン用ドットパターン版の識別システム及び方法が必要となるが、従来技術では、印刷物表面の網点の画像入力を行ない、二値化画像を生成し、その画像に基づいて網点抜け領域の特徴量を解析するものが、特許文献２に示されている。
特許文献２の発明では、あくまで、印刷物の網点抜けを確認する発明であるため、電子ペン用帳票毎にユニークな電子ペン用ドットパターン版を識別することはできないという課題がある。
そこで、本発明は、上記のような課題を解決するために、本発明は、電子ペン用ドットパターン版と、前記電子ペン用ドットパターンデータとの照合による識別システム及び方法を提供することを目的とする。
【０００７】
【特許文献２】特開２００２−２１６１１２
【課題を解決するための手段】
【０００８】
本発明の電子ペン用ドットパターン識別照合システム及び方法は、以下の各請求項の構成により上記の課題を解決するものである。
本発明の第１の態様は、インクペンによる筆記手段と、光学的にドットパターンを読み取る読取手段から成る電子ペンにより筆記情報の取得可能にしたドットパターンの形成される印刷原版を識別するシステムであって、前記ドットパターンに対応する製版データを記憶する記憶手段と、前記ドットパターンに対応する印刷原版上に形成されたドットパターンを光学的に読み取るスキャナーと、前記スキャナーで読取ったドットパターンデータを記憶する記憶手段と前記製版データと前記スキャナーで読み取ったドットパターンデータとを照合する照合手段と、により印刷原版上のドットパターンを識別するようにしたことを特徴とする電子ペン用印刷原版識別システムである。
【０００９】
本発明の第２の態様は、インクペンによる筆記手段と、光学的にドットパターンを読み取る読取手段から成る電子ペンにより筆記情報の取得可能にしたドットパターンの形成される印刷原版を識別する方法であって、前記ドットパターンに対応する製版データを記憶する記憶ステップと、前記ドットパターンに対応する印刷原版上に形成されたドットパターンを光学的に読み取るスキャナーと、前記スキャナーで読取ったドットパターンデータを記憶するステップと前記製版データと前記スキャナーで読み取ったドットパターンデータとを照合する照合ステップと、により印刷原版上のドットパターンを識別するようにしたことを特徴とする電子ペン用印刷原版識別方法である。
【００１０】
本発明の第３の態様は、第２の態様に記載の電子ペン用印刷原版識別方法において、予め定められた範囲及び位置にて部分照合をすることを特徴とする電子ペン用印刷原版識別方法である。
【００１１】
本発明の第４の態様は、第２の態様及び第３の態様に記載の電子ペン用印刷原版識別方法において、予め定められた範囲及び位置にて部分照合が不成立な場合は、前記予め定められた照合範囲及び位置を予め定められた移動方法に従って移動し、それぞれの移動した位置で部分照合を行い、すべての部分照合が不成立の場合にのみ、照合が不成立と判定することを特徴とする電子ペン用印刷原版識別方法である。
【発明の効果】
【００１２】
以上、説明したように、本発明の電子ペン用印刷原版の識別システム及び方法によれば、肉眼では単なる周囲断ち切りの全面網点のポジフィルムとしか認識できない印刷原版である電子ペン用ドットパターン版の天地左右の向きを見極めること及び異なる電子ペン用ドットパターン版相互の区別が容易に可能となる。
刷版工程でも、本発明を利用して、製版工程より下版されてきた電子ペン用ト゛ットパターン版を確認し、刷版を製造することにより、間違った電子ペン用ドットパターン版での刷版の製造を未然に防止することが可能になる。
【発明を実施するための最良の形態】
【００１３】
本発明で利用する電子ペン、電子ペン用帳票、電子ペンより取得したデータ送信について、まず、以下に説明する。
【００１４】
［電子ペン］
電子ペン１０について説明する。
図１は電子ペン１０の使用形態を模式的に示す図であり、さらに、図２（ａ）は、電子ペン１０の内部構造を示す機能ブロック図である。図３は、電子ペン用帳票を説明する図である。
図１に示すように、電子ペン１０は、電子ペン用帳票２０と組み合わせて使用する。
電子ペン１０は、通常のインクペンと同様のペン先部１７を備えており、利用者は通常のインクペンと同様の使用方法で電子ペン用帳票２０上に文字などを書くことになる。
図２（ａ）に示すように、電子ペン１０は、その内部にプロセッサ１１、メモリ１２、微弱電波無線トランシーバ１３、バッテリー１４、赤外線ＬＥＤ１５、ＣＣＤ搭載小型カメラ１６及び圧力センサ１８を備える。
さらに、図示はしないが、電子ペン１０には通常のインクペンと同様のインクカートリッジを有する。
【００１５】
電子ペン１０は、ペン先部１７により電子ペン用帳票２０上に描かれたインクの軌跡をデータ化するのではなく、電子ペン用帳票２０上で電子ペン１０が移動した軌跡座標をデータ化する。
具体的には、赤外線ＬＥＤ１５が、電子ペン用帳票２０上のペン先部１７近傍を照明しつつ、ＣＣＤ搭載小型カメラ１６が電子ペン用帳票２０に形成されている電子ペン用ドットパターン３２を読み取り、データ化する。
【００１６】
さらに、圧力センサ１８は、利用者が電子ペン１０により電子ペン用帳票２０上に文字などを書く際にペン先部１７に与えられる圧力、即ち筆圧を検出し、プロセッサ１１へ供給する。
プロセッサ１１は、圧力センサ１８から与えられる筆圧データに基づいて、赤外線ＬＥＤ１５及びＣＣＤ搭載小型カメラ１６の動作又は停止の切換を行なう。
即ち、利用者が電子ペン１０で電子ペン用帳票２０上に文字などを書くと、ペン先部１７には筆圧がかかる。よって、所定値以上の筆圧が検出されたときに、利用者が記述を開始したと判定して、赤外線ＬＥＤ１５及びＣＣＤ搭載小型カメラ１６が作動する。
ＣＣＤ搭載小型カメラ１６は、図３に示す電子ペン用帳票２０上の電子ペン用ドットパターン３２を読み取り、そのパターンデータをプロセッサ１１に供給する。
プロセッサ１１は、供給されたパターンデータから、電子ペン用帳票２０上でのＸ／Ｙ座標を算出する。
プロセッサ１１は、利用者の記述が行なわれる間に、筆圧の配列データ及びＸ／Ｙ座標データを取得し、タイムスタンプ（時間情報）と関連付けてメモリ１２に記憶するものである。
よって、メモリ１２内には、利用者の記述内容に対応するデータが時系列で記憶されるのである。
【００１７】
利用者により送信指示がされるまでは、取得された全てのデータはメモリ１２内に保持される。
そして、利用者が送信指示を行なうと、外部への情報伝達手段の一例である微弱電波無線トランシーバ１３により、電子ペン１０と所定距離内にある端末２５へメモリ１２内のデータが送信される。
基本的には一度送信指示がなされると、電子ペン１０はメモリ１２内に記憶していた全ての情報が端末２５へ送信されるため、メモリ１２内はクリアされる。
【００１８】
電子ペン１０自体は、送信ボタンなどの機能ボタンを備えておらず、送信指示その他の指示は、利用者が図３に示す電子ペン用帳票２０上の所定位置に設けられた送信ボックス３９等の専用ボックスを電子ペン１０でチェックすることにより実行される。
即ち、送信ボックス３９の位置座標には、予め送信指示が対応付けられており、プロセッサ１１は送信ボックスの位置座標を受信すると、微弱電波無線トランシーバ１３にメモリ１２内のデータを供給し、端末２５へ送信するものである。
なお、本発明の情報伝達手段は、上記の例で示した微弱電波無線トランシーバ１３のような無線方式に限られるものではなく、ケーブル接続方式でも、何らかの記録媒体経由での伝達方式でもよい。なお、バッテリー１４は、電子ペン１０内の各要素に電源供給するためのものである。
【００１９】
また、電子ペン１０は利用者が電子ペン用帳票２０上に記述した文字などに対応する座標データ及び筆圧データを取得して近傍の端末２５へ送信する機能を有するが、電子ペン１０のペン先部１７は通常のインクペンとなっているため、電子ペン用帳票２０上に記述した内容は、原本としても残るという特徴がある。
なお、電子ペン１０の標準機能によれば、電子ペン１０により得られるデータは、原則として座標データ又はストロークデータの形態であり、テキストデータではない。
但し、電子ペン１０は標準機能として、電子ペン用帳票２０上に設けられた専用エリアに記述することにより、テキスト化する座標データやストロークデータから、文字認識アプリケーションを利用してテキストデータを得ることはむろん可能である。
【００２０】
また、電子ペン１０内には、電子ペン自体及びその所有者に関するプロパティ情報（ペン情報及びペン所有者情報）の保持機能、ならびに時間係数機能を有し、アプリケーションから参照することが可能である。
電子ペン情報としては、バッテリーレベル、電子ペンＩＤ、電子ペン製造者番号、電子ペンソフトウェアのバージョン、サブスクリプションプロバイダのＩＤ等を保持できる。
また、電子ペン所有者情報としては、国籍、言語、タイムゾーン、メールアドレス、空きメモリ容量、名前、住所、ファックス／電話番号、形態電話番号等を保持することが可能である。
【００２１】
次に、電子ペンにより利用者が記述した内容のＸ／Ｙデータを所得する方法について説明する。
前述のように電子ペン用帳票２０には、所定の電子ペン用ドットパターン３２が形成されている。電子ペン１０のＣＣＤ搭載小型カメラ１６は、利用者が電子ペン用帳票２０上に記述したインクの軌跡を読み取るのではなく、電子ペン用帳票２０上の電子ペン用ドットパターン３２を読み取る。
実際、図１に示すように、赤外線ＬＥＤ１５による照明領域及びＣＣＤ搭載小型カメラ１６の撮影領域（照明領域に位置する）は、ペン先部１７が電子ペン用帳票２０に接触する位置とは、ずれている。
【００２２】
電子ペン用ドットパターン３２は、カーボンを含む専用インキなどで形成されており、ＣＣＤ搭載小型カメラ１６はその専用インキによるパターンのみを認識することができる。
専用インキ以外のインキ（カーボンを含まない）により、電子ペン用帳票２０上に罫線や枠などを形成しても、電子ペンはそれらを認識することはない。よって、電子ペン用帳票２０を作製する際は、専用インキ以外のインキで入力枠や罫線、注意書きなどを形成しなければならい。
【００２３】
電子ペン用ドットパターン３２は、図４に例示するように、各ドットの位置がデータに対応付けされている。図３の例では、ドットの位置を格子の基準位置（縦線及び横線の交差点）から上下左右にシフトすることにより、０〜３の２ビット情報を表示した例である。このようにして表現された情報の組み合わせにより、電子ペン用帳票２０上の位置座標が決定される。
【００２４】
図４（ａ）に例示するように、縦横約２ｍｍの範囲内に３６個のドットが格子状に配置され、これらのドットにより示されるデータの配列（図４（ｂ））が、電子ペン用帳票２０上の位置座標と対応付けされている。
【００２５】
よって、電子ペン１０のＣＣＤ搭載小型カメラ１６から入力される電子ペン用ドットパターン３２を撮影すると、プロセッサ１１はＣＣＤ搭載小型カメラ１６から入力される電子ペン用ドットパターン３２のデータに基づいて、図４（ｂ）に示すデータ配列を取得し、それに対応する電子ペン用帳票２０上の位置座標（即ち、その電子ペン用ドットパターン３２がその電子ペン用帳票上のどの位置にあるか）をリアルタイムで算出する。
なお、電子ペン用ドットパターン３２を認識する最小単位は１．８ｍｍ×１．８ｍｍであり、ＣＣＤ搭載小型カメラ１６は毎回毎秒１００回程度の撮影を実施する。
【００２６】
［電子ペン用帳票］
電子ペン用帳票２０について説明する。電子ペン用帳票の構造の一例を図３に示す。図示のように、電子ペン用帳票２０は、用紙３０上に電子ペン用ドットパターン３２が形成され、その上に罫線などの絵柄３４が形成されている。
用紙３０は通常の上質紙等であり、電子ペン用ドットパターン３２は前述のようにカーボンを含んだ専用インキにより形成される。絵柄３４は、通常のインキ等により形成される。
【００２７】
電子ペン用帳票２０上の領域は大きく２種類の領域に分けることができる。
１つは記入エリアであり、電子ペン１０による記述内容をそのまま情報として取り扱うエリアである。
もう１つは機能エレメントであり、対応するエリア内の電子ペン１０でチェックした際に、予めそのエリアに対して定義されているアクション、指示などを実行するようになっている。前記送信ボックス３９がこれに該当する。
【００２８】
送信ボックス３９は前述したように電子ペン１０内に記憶されているデータを近傍の端末２５へ送信するための指示を行なう際に使用される。
利用者が送信ボックス３９内の電子ペン用ドットパターンを読み取る。当該パターンは送信指示に対応付けられており、電子ペン１０内のプロセッサ１１は微弱電波無線トランシーバ１３にメモリ１２内の記憶データの送信命令を発信する。
【００２９】
前述のように電子ペン用ドットパターン３２の形成されているエリアは何を意味するのかは予め定義されている。
よって、利用者が電子ペン１０で当該帳票に必要事項を入力すると、その入力事項がその帳票のどの項目に対応するものであるかを、帳票上の座標データから特定することができる。
このように、電子ペン用ドットパターン３２を形成した電子ペン用帳票２０上に各種帳票に必要な記入部その他をデザインした絵柄３４を形成しておき、電子ペン１０により所定記入部に所定の情報を記入することで、記入した情報を自動的に電子データ化できるものである。
【００３０】
［電子ペンにより取得したデータ送信処理］
電子ペン１０により取得したデータ送信処理について説明する。前述のように、電子ペン１０の通信機能（情報を外部に伝達する情報伝達手段）は微弱電波無線によるものであり、電子ペン用帳票２０に入力したデータを端末２５に送信するものである。端末は、電子ペン１０より送信されたデータを帳票発行者等の扱う管理用サーバーであるＡＳＨ（Ａｐｐｌｉｃａｔｉｏｎ  Ｓｅｒｖｉｃｅ  Ｈａｎｄｌｅｒ）２７へ送信する。
その際の処理を、図２を参照して説明する。電子ペン１０が取得したデータは、主として利用者が入力した事項のデータであるが、通常はそのデータの送信先であるＡＳＨ２７がどこであるかの情報は含まれていない。
その代わりに、その電子ペン用帳票２０に関するアプリケーションやサービスを特定する情報は電子ペン用ドットパターン３２に定義されており、利用者の入力作業中に電子ペン用帳票３２からその情報が取得されている。
よって、電子ペン１０から入力データを受け取った端末２５は、まず、問い合わせサーバーであるＰＬＳ（Ｐａｐｅｒ  Ｌｏｏｋｕｐ  Ｓｅｒｖｉｃｅ）２６に対して、その電子ペン用帳票２０に対して入力されたデータを、どのＡＳＨ２７へ送信すべきかの問い合わせを行なう。
【００３１】
ＰＬＳ２６は、電子ペン用帳票２０毎に、対応するＡＳＨ２７の情報を有しており、端末２５からの問い合わせに応じて、当該電子ペン用帳票２０に関するサービスなどを行なうＡＳＨ２７の情報（ＵＲＬなど）を端末２５へ回答する。
それから、端末２５は、電子ペン１０から取得した入力データをそのＡＳＨ２７へ送信する。
【００３２】
次に、以下本発明の実施例に関して、図面を参照して説明する。
［機器構成］
本発明の機器構成等を、図５に示す。本発明の基本機器構成は、パーソナルコンピュータ
４０に光学的なフラットベッドスキャナー４２を接続したものである。
パーソナルコンピュータ４０の内蔵ハードディスク等４１には、電子ペン用ドットパターンデータをビットマップデータとして、変換したものが、電子ペン用帳票２０毎に存在する。
なお、内蔵ハードディスク等４１に記録さている電子ペン用ドットパターンデータは、電子ペン用帳票２０の受注時に振られる品目毎の受注番号等で紐付けて、記録する。
これは、例えば、パーソナルコンピュータ４０の専用ソフトを起動後に、当該品目の受注番号等を入力し、電子ペン用ドットパターン版３２ａとの識別時に内蔵ハードディスク等４１より当該電子ペン用帳票２０の電子ペン用ドットパターンデータのビットマップデータを抽出する際に利用するものである。
【００３３】
［識別方法］
本発明の識別方法に関して、図５に照合フローを図示し、図６に部分照合位置の一例を図示し、図７に部分照合の一例の図示しており、これらの図示とともに以下に説明する。
１．電子ペン用ドットパターンは、どこを取ってもユニークなパターンであるので、内蔵    ハードディスク等４１に予め当該電子ペン用ドットパターンデータをビットマップデ    ータとして変換し、当該電子ペン用帳票２０の受注時に振られる品目毎の受注番号等    で紐付けて、記録する。（Ｓ０１）
２．当該電子ペン用ドットパターン版３２ａを光学的なフラットベッドスキャナー４２で    走査する。（Ｓ０２）
３．光学的なフラットベッドスキャナー４２は、走査して得られたビットマップデータを    パーソナルコンピュータ４０に送信する。（Ｓ０３）
４．パーソナルコンピュータ４０は、内蔵ハードディスク等４１に予め記録している当該    電子ペン用ドットパターンデータのビットマップデータと光学的なフラットベッドス    キャナーより送られた当該電子ペン用ドットパターン版３２ａのビットマップデータ    とを照合し、識別するものである。（Ｓ０４）
５．識別可能なら、例えば次工程である刷版工程に当該電子ペン用ドットパターン版３２    ａを送る。（Ｓ０５）
６．また、識別不可なら、再度、異なる電子ペン用ドットパターン版を光学的なフラット    ベッドスキャナーで走査し、照合を実施する。（Ｓ０６）
７．なお、パーソナルコンピュータの内蔵ハードディスクに記録されている当該電子ペン    用帳票２０のビットマップデータと、電子ペン用ドットパターン版３２ａを光学的な    フラットベッドスキャナー４２で走査して得られたビットマップデータとの照合は、    部分照合でよい。なぜなら、仮に全面照合すると膨大なデータ量にのため、光学的な    フラットベッドスキャナー４２での読み込み時間がかかり非合理的であるからである    。
８．部分照合は、予め特定した内蔵ハードディスク等４１に記録されているドットパター    ンのビットマップデータの一部を抜き出して、光学的なフラットベッドスキャナー４    ２により読み込まれた電子ペン用ドットパターン版３２ａのビットマップデータとの    、同一箇所のドットパターンが一致するかで識別する。
９．具体的には、図６に部分照合の特定位置の１例を示す。電子ペン用ドットパターン３    ２ａの右上端の角を基準として、各３０ｍｍの箇所を中心とする。この中心が中央と    なるような一辺が３．６ｍｍの正方形の範囲を部分照合範囲として比較４３する。
１０．仮に９で規定した範囲で一致しないのなら、部分照合範囲を上下左右に１．８ｍｍ    ずつずらして、各々の箇所で部分照合し、すべての箇所で、一致しない場合には、当    該電子ペン用ドットパターン版は非該当と判定する。
１１．図７に示す具体的な部分照合の一例としては、Ｓ１１の位置で、部分照合後、識別    不可能なら、Ｓ１２の位置に部分照合範囲を移動し、再度部分照合を実施する。ここ    でも、識別が不可能なら、Ｓ１３の位置で部分照合を実施する。Ｓ１３の位置でも識    別が不可能なら、Ｓ１４の位置に部分照合範囲を移動する。さらに、Ｓ１４の位置で    も識別が不可能であれば、Ｓ１５の位置で部分照合を実施する。最後のＳ１５の位置    でも、識別が不可能な場合には非該当と判定する。
【００３４】
以上、本発明の製版工程での活用について説明したが、本発明は、製版工程での次工程での刷版工程でも活用は可能である。
具体的には、製版工程より下版された電子ペン用ドットパターン版３２ａを、確認するための活用である。
特に、電子ペン用ドットパターンが同時に複数品目流れる場合は取違の恐れがあるが、本発明では、照合結果が一致した場合のみに刷版を作製するため、間違った電子ペン用ドットパターン版３２ａでの刷版の作製を防止することができる。
【図面の簡単な説明】
【００３５】
【図１】電子ペンの使用形態の模式的な説明図
【図２】電子ペンの構造及びデータ送信の説明図
【図３】電子ペン用帳票の説明図
【図４】電子ペン用帳票に形成された電子ペン用ドットパターンによる情報の表現方法の        説明図
【図５】機器構成等の説明図
【図６】部分照合位置の説明図
【図７】部分照合範囲の説明図
【符号の説明】
【００３６】
１０    電子ペン
１１    プロセッサ
１２    メモリ
１３    微弱電波無線トランシーバ
１４    バッテリー
１５    ＬＥＤ
１６    ＣＣＤ搭載小型カメラ
１７    ペン先
２０    電子ペン用帳票
２５    端末
２６    ＡＳＨ
２７    ＰＬＳ
３０    用紙
３２    電子ペン用ドットパターン
３２ａ  電子ペン用ドットパターン版
３４    絵柄
３８    記入部
３９    送信ボックス
４０    パーソナルコンピュータ
４１    内蔵ハードディスク等
４２    光学的なフラットベッドスキャナー
４３    部分照合範囲
【図１】
2006301902.tif 000003
【図２】
2006301902.tif 000004
【図３】
2006301902.tif 000005
【図４】
2006301902.tif 000006
【図５】
2006301902.tif 000007
【図６】
2006301902.tif 000008
【図７】
2006301902.tif 000009